(57)【要約】【課題】透明板間に形成された間隙の真空を適切に管理することができるパチンコ遊技機を提供する。【解決手段】透明板３０Ａ，３０Ｂ間に形成された間隙Ｘ内に真空圧力センサ５０を配置し、該真空圧力センサ５０によって検知された真空圧力が、真空圧力情報画像として表示画面で表示されるようにした。かかる構成とすることにより、保守管理作業者は、前扉６の透明板３０Ａ，３０Ｂ間の間隙Ｘの真空圧力を真空圧力情報画像として瞬時に確認することができるため、確認作業の負担が飛躍的に軽減される。【選択図】図５
2014039663.tif 000002
【特許請求の範囲】
【請求項１】
遊技盤を備えた遊技機本体には、該遊技盤の前方に配置される前後一対の透明板を互いに離間した状態で保持する開閉自在な前扉が配設されており、該透明板間の間隙は該前扉の内周面によって囲繞されて真空な状態となっているパチンコ遊技機において、
前記透明板間の間隙に配設された、該間隙内の真空圧力を測定する真空圧力測定部と、
前記真空圧力測定部が測定した真空圧力が表示される真空圧力表示部と、
を備えていることを特徴とするパチンコ遊技機。
【請求項２】
真空圧力測定部が測定した真空圧力を真空圧力データとして記憶保持すると共に、予め定められた規定真空圧力を規定真空圧力データとして記憶保持する真空圧力データ記憶保持手段と、
真空圧力データ記憶保持手段で記憶保持された真空圧力データにかかる真空圧力と、規定真空圧力データにかかる規定真空圧力との高低を検出し、測定された真空圧力が規定真空圧力より高い場合に前記真空圧力表示部に警告画像を表示させる制御内容を具備する真空圧力警告制御手段と
を備えた請求項１に記載のパチンコ遊技機。
【発明の詳細な説明】
【技術分野】
【０００１】
本発明は、遊技盤の前方に配置される前後一対の透明板間の間隙が真空状態であるパチンコ遊技機に関するものである。
【背景技術】
【０００２】
従来、遊技盤の前方に配置される前後一対の透明板間の間隙に、結露防止等の目的で吸湿剤や乾燥剤を配して、該間隙の湿度を調整している構成はよく知られている（例えば特許文献１〜８参照。）。
【０００３】
また、前記間隙を減圧状態（真空）にすることが可能であることも既に開示されている（例えば特許文献９参照。）。かかる構成とすることにより、遊技盤の前面に形成された遊技領域と遊技者との間に真空な空間を形成することができるため、遊技球の衝突による騒音を低減できる効果が期待できる。また、磁石を用いる不正行為に対して、遊技盤への作用を低減できる効果も期待できる。
【先行技術文献】
【特許文献】
【０００４】
【特許文献１】特開２００４−３２１７１５号公報
【特許文献２】特開２００６−１８１０８１号公報
【特許文献３】特開２００７−１１７５１７号公報
【特許文献４】特開２００７−１９０２６３号公報
【特許文献５】特開２００７−２５９９２６号公報
【特許文献６】特開２００８−５８６１号公報
【特許文献７】特開２０１０−２３４０９０号公報
【特許文献８】特開２０１１−１３１０８４号公報
【特許文献９】特開２００６−１７５０３５号公報
【発明の概要】
【発明が解決しようとする課題】
【０００５】
しかしながら上記従来構成は、長期の使用により徐々に前記間隙に外気が浸入し、所望の真空圧力が確保されていないような状況になっても、それを確実かつ適切に確認することができなかった。このため、適切な時期に交換等を含むメンテナンス作業を行うことができないという問題があった。
【０００６】
そこで、本発明は、保守管理作業者が、透明板間の間隙の真空圧力を確実かつ容易に確認することができるパチンコ遊技機を提供することを目的とする。
【課題を解決するための手段】
【０００７】
本発明は、遊技盤を備えた遊技機本体には、該遊技盤の前方に配置される前後一対の透明板を互いに離間した状態で保持する開閉自在な前扉が配設されており、該透明板間の間隙は該前扉の内周面によって囲繞されて真空な状態となっているパチンコ遊技機において、前記透明板間の間隙に配設された、該間隙内の真空圧力を測定する真空圧力測定部と、前記真空圧力測定部が測定した真空圧力が表示される真空圧力表示部と、を備えていることを特徴とするパチンコ遊技機である。
【０００８】
かかる構成とすることにより、保守管理作業者は、透明板間の間隙の真空圧力を確実に把握することが可能となるため、確認のための作業負担が軽減されると共に、適切な時期に前扉等を交換することができる。なお、本発明における真空は、ＪＩＳ規格に準じるものとし、大気圧より低い圧力の気体で満たされた空間内の状態のことをいう。
【０００９】
さらに、上記構成にあっては、真空圧力測定部が測定した真空圧力を真空圧力データとして記憶保持すると共に、予め定められた規定真空圧力を規定真空圧力データとして記憶保持する真空圧力データ記憶保持手段と、真空圧力データ記憶保持手段で記憶保持された真空圧力データにかかる真空圧力と、規定真空圧力データにかかる規定真空圧力との高低を検出し、測定された真空圧力が規定真空圧力より高い場合に前記真空圧力表示部に警告画像を表示させる制御内容を具備する真空圧力警告制御手段とを備えた構成が提案され得る。
【００１０】
このように所望の真空圧力を規定真空圧力としてあらかじめ規定しておくことにより、透明板間の間隙の真空圧力が所望の値より悪化した場合に、保守管理者はすぐにそれを把握し、交換等の対応を行うことができる。
【発明の効果】
【００１１】
本発明のパチンコ遊技機は、保守管理作業者が迅速かつ容易に透明板間の間隙の真空圧力を把握することができ、確認のための作業負担が大幅に軽減されると共に、適切な時期に前扉のメンテナンス作業を行える利点がある。
【図面の簡単な説明】
【００１２】
【図１】パチンコ遊技機１の外観斜視図である。
【図２】前枠５を開いた状態のパチンコ遊技機１の外観斜視図である。
【図３】前扉６を開いた状態のパチンコ遊技機１の外観斜視図である。
【図４】遊技盤１０の正面図である。
【図５】前扉６の構成を示す横断面図である。
【図６】遊技を制御する制御回路を示すブロック図である。
【図７】真空圧力情報画像４６の表示態様を示す説明図である。
【発明を実施するための形態】
【００１３】
本実施例のパチンコ遊技機１は、図１〜３に示すように、遊技場の島設備に固定される外枠２と、該外枠２の前面開口部を覆う遊技機本体３とからなる。
【００１４】
前記遊技機本体３は、ヒンジ部材４を介して前記外枠２に開閉可能に枢着されている前枠５を備えている。該前枠５は、中央に遊技盤１０を備えていると共に、該遊技盤１０の前方に配置される前扉６を備えている。該前扉６は、前記外枠２にヒンジ部材４を介して開閉自在に配設されている。
【００１５】
また、図１〜３に示すように、前記前扉６の中央上部には、略円形の開口部が形成されており、該開口部には、図５等に示すように、２枚のガラス製の透明板３０Ａ，３０Ｂが前後に配されて取り付けられている。そして、前扉６が遮蔽されると、該透明板３０Ａ，３０Ｂによって前記遊技盤１０が覆われた状態となり、該透明板３０Ａ，３０Ｂを介して該遊技盤１０が遊技者側から視認可能となる。
【００１６】
また、図１等に示すように、前枠５の前面には、上受皿７と下受皿８とが上下に列設されており、該下受皿８の右側方に発射ハンドル９が突設されている。さらに、前記前枠５の所定位置には、スピーカ（図示省略）が複数内蔵されている。
【００１７】
図４に示すように、遊技盤１０の前面には、遊技球が転動流下する略円形の遊技領域１２が区画形成されている。また、該遊技領域１２の中央には樹脂製のセンターケース１３が配設されている。さらに、該センターケース１３には、画像表示装置１４が配設されている。該画像表示装置１４は、主に演出画像を表示する表示画面１５を備え、該表示画面１５は、ＣＲＴや液晶表示器、有機ＥＬなどによって構成されている。
【００１８】
また、前記センターケース１３には、演出用ＬＥＤ１６が多数配設されている。また、該センターケース１３には、入賞装置１７ａ、演出時に回転駆動する演出用電動役物１８、及び特別図柄表示装置１９等が所定位置に複数組み付けられている。
【００１９】
また、前記遊技領域１２におけるセンターケース１３の周囲には、入賞装置１７ｂ〜１７ｄや、ゲート装置２１、遊技釘２０などの各種の遊技部材が設けられている。
【００２０】
上述したパチンコ遊技機１は、既存一般のパチンコ遊技機と同様の遊技内容を有している。すなわち、前記入賞装置１７ｂに設けられた始動口に遊技球が入賞すると、前記特別図柄表示装置１９が点滅して特別図柄が変動表示され、一定時間経過後に変動表示が停止する。そして、変動停止した時の特別図柄の停止態様が所定の大当り態様であった場合には、大入賞口を備える前記入賞装置１７ｃが所定時間開閉作動し、該入賞装置１７ｃの開閉作動で構成された大当り遊技が実行される。
【００２１】
また、上記画像表示装置１４の表示画面１５には、遊技進行に合わせて図柄やキャラクターなどの演出画像が表示される。このような演出画像としては、例えば、特別図柄が変動表示されている間に表示される演出図柄や、所定条件の成立を契機として時折表示されるリーチ演出画像、あるいは予告演出画像などがある。さらに、大当り遊技中に表示されるものとして、大当り演出画像がある。
【００２２】
また、これらのような演出画像の表示と並行して、前記演出用ＬＥＤ１６が発光、点滅すると共に、前記演出用電動役物１８が適宜のタイミングで駆動する。さらに、これらと並行するように、スピーカから逐次演出用音声が出力されることで、画像、光、音声などを組み合わせた盛大な演出が行われる。
【００２３】
以下、図５に従って、前記前扉６の構造についてさらに詳述する。
図５に示すように、前記前扉６の内周面には、透明板３０Ａ，３０Ｂが介装される二条の凹溝１１が前後一対に形成されており、該凹溝１１内にゴムパッキン２５が配設された上で、前側（遊技者側）の透明板３０Ａと、後側（遊技盤側）の透明板３０Ｂとが互いに離間した状態で該前扉６に各々取り付けられている。そして、該前側の透明板３０Ａと該後側の透明板３０Ｂとの間に形成された間隙Ｘは、該前扉６の内周面によって囲繞され、しかもこの空間があらかじめ真空とされている。
【００２４】
なお、前記一対の透明板３０Ａ，３０Ｂを保持する前扉６の構造は、上記構成に限定されず、公知の保持構造が好適に採用可能である。
【００２５】
加えて、前記間隙Ｘ内には、真空圧力センサ（真空圧力測定部）５０が配置されている。そして、該真空圧力センサ５０によって、該間隙Ｘ内の真空圧力が測定可能となっている。また、該真空圧力センサ５０によって測定された真空圧力は、後述するように、画像表示装置１４の表示画面１５に表示可能となっている。なお、前記真空圧力センサ５０により、本発明に係る真空圧力測定部が構成される。該真空圧力センサ５０は、公知のセンサが好適に採用可能であり、例えば、いわゆる全圧真空計で構成されていてもよい。また、真空圧力を表示する前記画像表示装置１４の表示画面１５により、本発明に係る真空圧力表示部が構成される。
【００２６】
さらに、前記前扉６の裏面側には、前記間隙Ｘに連通する逆止弁装着孔５２が形成されており、該逆止弁装着孔５２内にポペット式の逆止弁５１が気密状に装着されている。そして、該逆止弁５１における該前扉６の裏面側に配された端部には、図示しない真空ポンプの吸引口が脱着自在に接続可能となっている。なお、該逆止弁５１は、公知のものが好適に採用可能であるが、これに限定されるものではなく、他の逆止弁が採用されても勿論よい。
【００２７】
次に、本実施例のパチンコ遊技機１の遊技作動を制御する制御回路を、図６を参照して説明する。
【００２８】
マイクロコンピュータを構成する主制御基板６０には、パチンコ遊技機１の遊技作動等を制御するための基板回路が設けられている。この主制御基板６０は、遊技の統括的な制御を実行するものである。この基板回路上には、主制御用中央制御装置ＣＰＵが配設されている。この主制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）とを介して接続され、主制御基板６０の基板回路を構成している。
【００２９】
前記記憶装置ＲＯＭには、制御プログラムや、抽選の当落判定や演出態様等を決定するための各種テーブルが格納されている。一方、前記記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００３０】
さらに、前記主制御基板６０の基板回路には、所定のクロックパルスを出力するクロック装置（図示省略）が設けられ、前記主制御用中央制御装置ＣＰＵに接続されている。そして、該主制御用中央制御装置ＣＰＵは、一定間隔のクロックパルスによって時系列的に演算処理を行い、一連の処理作動を順次実行する。また、該クロック装置により出力されたクロックパルスをカウントして、時間を計測するタイマＴＭも接続されている。
【００３１】
ここで、前記主制御用中央制御装置ＣＰＵ、及び後述する各制御基板６２〜６８に設置されている各中央制御装置ＣＰＵは、所定のデータの処理を行う演算ユニット（ＡＬＣ）を連成した演算装置と、該演算装置に入出力するデータや読み込んだ命令を保管しておくレジスタと、命令を解読するデコーダ等によって構成されている。そして、前記主制御用中央制御装置ＣＰＵは、所定の形式で生成したデータ又はコマンドを四つの制御基板６２，６３，６４，６８へ出力し、これらの制御基板６２，６３，６４，６８の中央制御装置ＣＰＵがこのデータ等に従って所定の制御を処理実行する。
【００３２】
また、前記主制御基板６０の基板回路には、前記主制御用中央制御装置ＣＰＵが周辺機器とデータ通信を行う入力ポート（図示省略）及び出力ポート（図示省略）が設けられており、この出力ポートを介して前記主制御基板６０からの制御指令が、演出制御基板６２、図柄制御基板６３、払出制御基板６４、及び発射制御基板６８の各入力ポートに向けて出力されるように接続されている。
【００３３】
また、前記主制御基板６０の入力ポートには、盤面中継基板６１を介して、前記入賞装置１７ａ〜１７ｄ、前記演出用電動役物１８や前記ゲート装置２１、及び真空圧力センサ５０等が接続される。そして、前記主制御基板６０が２ｍｓごとに、これらに内蔵された各スイッチの遊技球検知状態あるいは真空圧力データを調べる。ここで、遊技球検知があると、その球検知信号が波形整形回路により波形整形されて、前記主制御用中央制御装置ＣＰＵに入力され、その情報を前記記憶装置ＲＡＭが記憶する。また、測定値データ、すなわち真空圧力データが検知されると、前記主制御用中央制御装置ＣＰＵに入力され、その情報を前記記憶装置ＲＡＭが記憶保持する。なお、前記した時間間隔で真空圧力データが検知されるが、その都度最新の真空圧力データが直前の真空圧力データに上書きされて順次更新される。また、該主制御基板６０の出力ポートには、盤面中継基板６１を介して電動式の前記入賞装置１７ａ〜１７ｃや前記演出用電動役物１８等が接続されており、前記主制御用中央制御装置ＣＰＵが所定の条件を選出した場合に、これらに内蔵されたソレノイドやモータを作動させる。
【００３４】
上記の演出制御基板６２には、パチンコ遊技機１で実行される演出全般を制御するための基板回路が設けられている。この基板回路は、演出を制御処理する演出制御用中央制御装置ＣＰＵに、多岐にわたる演出態様に関する固定データが格納されている記憶装置ＲＯＭと、必要なデータを読み書きできる記憶装置ＲＡＭと、入力ポート及び出力ポートとが接続されて構成されている。前記演出制御基板６２の出力ポートには、前記画像表示装置１４を制御する画像制御基板６５、音声演出を制御する音源制御基板６６、及びＬＥＤランプ（発光ダイオード）による演出を制御する光源制御基板６７が接続されている。そして、該演出制御基板６２は、前記主制御基板６０からの演出コマンドが入力ポートに入力されると、演出制御用中央制御装置ＣＰＵにおいて演算処理し、該演出コマンドで指示された演出態様を実行するために、画像制御基板６５、音源制御基板６６、及び光源制御基板６７へ向けて制御コマンドを送信する。
【００３５】
上記の画像制御基板６５には、前記画像表示装置１４の表示態様を制御するための基板回路が設けられている。この基板回路は、表示態様を制御処理する画像制御用中央制御装置ＣＰＵに、その表示態様に関する固定データが格納されている記憶装置ＲＯＭと、必要なデータを読み書きできる記憶装置ＲＡＭと、入力ポート及び出力ポートとが接続されて構成されている。画像制御基板６５は、前記演出制御基板６２から入力ポートを介して入力されたデータ又はコマンドを前記画像制御用中央制御装置ＣＰＵにおいて演算処理し、所定の表示態様を表示するデータを画像表示装置１４に出力する。
【００３６】
上記の音源制御基板６６には、スピーカから出力する演出用音声等を制御するための基板回路が設けられている。この基板回路は、音響を制御する音源制御用中央制御装置ＣＰＵに、動作プログラムや音声データ等の固定データが格納されている記憶装置ＲＯＭと、必要なデータを読み書きする記憶装置ＲＡＭと、入力ポート及び出力ポートとが接続されて構成されている。この音源制御基板６６は、上記の演出制御基板６２より入力ポートを介して入力されたデータ又はコマンドを音源制御用中央制御装置ＣＰＵで演算処理し、所定の音声データを出力ポートからスピーカに出力する。
【００３７】
上記の光源制御基板６７には、遊技機本体３に配設された多数の演出用ＬＥＤ１６等を制御するための基板回路が設けられている。この基板回路は、演出用ＬＥＤ１６等の点灯、点滅等を制御する光源制御用中央制御装置ＣＰＵに、動作プログラムや、演出用ＬＥＤ１６等を所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この光源制御基板６７は、光源制御用中央制御装置ＣＰＵで、上記の演出制御基板６２から入力ポートを介して入力されたデータ又はコマンドを演算処理し、所定の光データを、出力ポートを介して、演出用ＬＥＤ１６等を発光作動するドライバを配した光源作動基板に出力し、この光源作動基板が、各種の演出用ＬＥＤ１６等を点灯、点滅させる。
【００３８】
上記の図柄制御基板６３には、特別図柄表示装置１９を制御するための基板回路が設けられている。この基板回路は、特別図柄表示装置１９のＬＥＤの点灯、点滅等を制御する図柄制御用中央制御装置ＣＰＵに、動作プログラムや、ＬＥＤを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この図柄制御基板６３は、図柄制御用中央制御装置ＣＰＵで、上記の主制御基板６０から入力ポートを介して入力されたデータ又はコマンドを演算処理し、所定の光データを、出力ポートを介して、特別図柄表示装置１９のＬＥＤを発光作動するドライバを配した図柄作動基板に出力し、この図柄作動基板が、特別図柄表示装置１９のＬＥＤを点灯、点滅させる。
【００３９】
上記の払出制御基板６４には、遊技球の貸球や賞球等の払出しを制御するための基板回路が設けられている。この基板回路は、貸球ユニットや賞球ユニット等の各種ソレノイドを作動して、所定の貸球や賞球の供給を制御する払出制御用中央制御装置ＣＰＵに、動作プログラムや、貸球や賞球の球数パターン等の固定データが格納されている記憶装置ＲＯＭと、球数カウントデータ等の必要なデータを読み書きする記憶装置ＲＡＭと、入力ポート及び出力ポートとが接続されて構成されている。この払出制御基板６４は、主制御基板６０から入力されたデータ又はコマンドに従い、払出制御用中央制御装置ＣＰＵで演算処理し、所定のデータを、出力ポートを介して払出中継基板に送信し、このデータにより貸球ユニットや賞球ユニット等の各種ソレノイドを作動し、所定の貸球や賞球の払出しを実行する。また、払出制御基板６４は、遊技球の貸球を記憶したプリペイドカードの読み込みや書き込みを行う機外装置であるプリペイドカードユニットと、このプリペイドカードのデータ処理を中継するＣＲ接続基板を介して接続され、遊技球の残球データ等をやり取りする。
【００４０】
上記の発射制御基板６８には、発射装置を制御するための基板回路が設けられている。この基板回路は、動作プログラム等が格納されている記憶装置ＲＯＭと、入出力信号等を一時的に記憶する記憶装置ＲＡＭと、入力ポート及び出力ポートとが接続されて構成されている。発射制御基板６８の入力ポートには、発射ハンドル９に内蔵された回動角度検知センサから発射ハンドル９の現在角度に応じた電圧信号が入力される。発射制御基板６８の出力ポートには発射装置が接続されており、発射制御基板６８は、発射ハンドル９からの入力信号に応じた電圧強度で、発射装置に内蔵されたロータリーソレノイドを間欠的に駆動し、これにより発射ハンドル９の現在角度に応じた強さで遊技球を立て続けに打圧発射する。
【００４１】
また、上述のように、パチンコ遊技機１は、外部機器と信号を入出力するための外部端子基板６９を備えている。この外部端子基板６９は、主制御基板６０の出力ポートと接続されており、主制御基板６０が、各種の遊技情報を、外部端子基板６９を経由して機外に出力し得るようになっている。例えば、大当り発生時には、主制御基板６０は、大当り発生を示す大当り信号を機外に出力して、データ表示ユニット等に大当りの発生を報知する。また、外部端子基板６９は、音源制御基板６６の入力ポートとも接続されており、外部機器から入力される音声制御関連の信号を、外部端子基板６９を介して音源制御基板６６に送信し得るように構成されている。また、前記真空圧力センサ５０によって測定された真空圧力の測定データをホールコンピュータ７０にも送信し得るように構成されており、該ホールコンピュータ７０に接続されたパーソナルコンピュータ（図示省略）の表示画面に、ホール内の各パチンコ遊技機１の前記真空圧力が表示可能となっている。
【００４２】
以下に、図７に従って、本発明の要部にかかる真空圧力の表示形態について説明する。
【００４３】
前記前扉６の透明板３０Ａ，３０Ｂ間の間隙Ｘの真空状態を維持すべく、保守管理作業者によって適正時期に真空圧力が確認されるべきところ、保守管理作業者は、図７ａに示すように、メンテナンス作業時に表示画面１５に表示される前記真空圧力の値を確認することができる。具体的には、遊技用の表示内容からメンテナンス用の表示内容に切り替えることで、対応するパチンコ遊技機１における透明板３０Ａ，３０Ｂ間の間隙Ｘの真空圧力が、その数値で構成される真空圧力情報画像４６として表示される。
【００４４】
なお、前記真空圧力情報画像４６は、前扉６の開放時のみ表示されるようにしてもよいし、常時表示されるようにしてもよい。例えば、前扉６の開放時だけ表示されるようにした場合、前扉６の開閉状態を検知する検知センサーがＯＮ状態となると、これを検知した主制御基板６０が演出制御基板６２に真空圧力情報画像４６を画像表示装置１４の表示画面１５で表示するコマンドを送信する構成が提案される。
【００４５】
ところで、本実施例においては、図７ａに示されるように、測定された最新の真空圧力が、あらかじめ定められている所望の規定真空圧力（例えば、ＪＩＳで規定される低真空）より低いかあるいは高いかを容易に確認することができる。
【００４６】
すなわち、主制御基板６０は、測定された真空圧力にかかる真空圧力データと、主制御基板６０の記憶装置ＲＯＭにあらかじめ記憶保持されている規定真空圧力にかかる規定真空圧力データとを対比し、いずれの真空圧力が高いかを演算し、その演算結果を画像表示装置１４の表示画面１５で表示する制御内容を具備している。例えば、測定された真空圧力が規定真空圧力より低い場合、図７ａに示すように、所望の真空圧力が維持されている旨の表示がなされる。
【００４７】
一方、長期使用等により前記間隙Ｘ内に外気が浸入して、測定された真空圧力が規定真空圧力より高い状況となった場合、図７ｂに示すように、前記表示画面１５に警告画像４７が表示され、保守管理作業者は一見して、所望の真空状態が確保されていないことを知ることができる。
【００４８】
具体的には、主制御基板６０が、各真空圧力の高低を演算し、測定された真空圧力が規定真空圧力より高い場合に前記警告画像４７を画像表示装置１４の表示画面１５で表示するコマンドを送信する。
【００４９】
なお、前記真空圧力センサ５０が測定した真空圧力データを随時記憶保持する主制御基板６０の記憶装置ＲＡＭにより、本発明に係る真空圧力データ記憶保持手段が構成される。
【００５０】
また、前記主制御基板６０の記憶装置ＲＡＭに記憶保持された真空圧力データと記憶装置ＲＯＭに記憶保持されている規定真空圧力データに基づいて上記のような演算処理を実行し、演算結果に従って警告画像４７を画像表示装置１４の表示画面１５で表示する制御内容を備える主制御基板６０により、本発明に係る真空圧力警告制御手段が構成される。
【００５１】
これまでに述べた構成とすることにより、保守管理作業者は、前扉６の透明板３０Ａ，３０Ｂ間の間隙Ｘ内の真空圧力を、真空圧力情報画像４６として瞬時に確認することができるため、該保守管理作業者の作業負担は飛躍的に軽減される。
【００５２】
なお、図７に示すように、上記真空圧力情報画像４６と同時に、次回のメンテンナス時期を表示するようにしてもよい。
【００５３】
また、前記真空圧力情報画像４６あるいは警告画像４７としては、様々な内容が提案可能であり、真空圧力情報画像４６あるいは警告画像４７には、文字や絵柄が含まれるものとする。
【００５４】
なお、これまでに述べた本発明の実施例は、本発明の主旨を逸脱しない範囲で適宜設計変更することは勿論可能である。
【符号の説明】
【００５５】
１                    パチンコ遊技機
３                    遊技機本体
５                    前枠
６                    前扉
１０                  遊技盤
１５                  表示画面（真空圧力表示部）
３０Ａ，３０Ｂ        透明板
４６                  真空圧力情報画像
４７                  警告画像
５０                  真空圧力センサ（真空圧力測定部）
６０                  主制御基板（真空圧力データ記憶保持手段、真空圧力警告制御手段）
Ｘ                    間隙
【図１】
2014039663.tif 000003
【図２】
2014039663.tif 000004
【図３】
2014039663.tif 000005
【図４】
2014039663.tif 000006
【図５】
2014039663.tif 000007
【図６】
2014039663.tif 000008
【図７】
2014039663.tif 000009